(57)【要約】【課題】  大人が後方からベビーカーの座席に座っている乳幼児の表情を確認しつつ、台車を押すことが簡単に行えるベビーカー用のミラーを提供する。【解決手段】  ミラー本体（１１）と、変形自在な軸部（１５）を有しミラー本体（１１）を位置調整可能に支持する支持部材（１２）と、支持部材（１２）をベビーカーのフレーム（１６）に取り付ける固定部（１３）とを備え、固定部（１３）は、上下一対の板状部材（１９）（２０）がフレーム（１６）を挟んだ状態で付勢されることによりフレーム（１６）に着脱自在に固定されるクリップ機構（２１）からなるようにする。【選択図】図１
2007253771.tif 000002
【特許請求の範囲】
【請求項１】
ミラー本体（１１）と、変形自在な軸部（１５）を有しミラー本体（１１）を位置調整可能に支持する支持部材（１２）と、支持部材（１２）をベビーカーのフレーム（１６）に取り付ける固定部（１３）とを備え、ミラー本体（１１）は乳幼児の関心をひく形状または絵柄が形成され、固定部（１３）は上下一対の板状部材（１９）（２０）がフレーム（１６）を挟んだ状態で付勢されることによりフレーム（１６）に着脱自在に固定されるクリップ機構（２１）からなることを特徴とするベビーカー用ミラー。
【請求項２】
ミラー本体（１１）と支持部材（１２）と固定部（１３）とは、それぞれが分離できるように接続部（１７）（１８）を介して連結されることを特徴とする請求項１に記載のベビーカー用ミラー。
【請求項３】
固定部（１３）には、クリップ機構（２１）の上側の板状部材上面から上方に突出し上端部分に支持部材（１２）と接続するための接続部（１８ｂ）が形成された棒体部（２２）と、上下一対の板状部材（１９）（２０）それぞれに形成されクリップ機構の付勢力を解除する際に押圧する押圧部（２３）（２４）とが形成され、上下一対の板状部材（１９）（２０）でフレーム（１６）を挟んだ状態で押圧部（２３）（２４）は棒体部（２２）よりベビーカーの外側に位置するようにして取り付けられることを特徴とする請求項１に記載のベビーカー用ミラー。
【発明の詳細な説明】
【技術分野】
【０００１】
本発明は、ベビーカーに取り付けて使用するミラーに関する。
【背景技術】
【０００２】
道路上を走行する乗物のひとつにベビーカーがある。ベビーカーは、台車の座席に乳幼児を乗せ、親などの大人が台車後方のフレームを押すことにより動かす。ベビーカーの走行スピードは、通常、数ｋｍ／ｈ程度の歩行速度程度である。そのため、走行中に、ベビーカーを押している大人が後方の安全確認をしたいときは、走行しながら、あるいは、停止して、大人が振り返って確認するようにしている。
【０００３】
一方、道路上を走行する自動車では、数１０ｋｍ／ｈ程度の相当な速度で走行することから、運転手が振り返って後方確認をすることは危険である。そのため、運転者が視線を動かすだけで車体後方あるいは車体側方の安全確認をするためのバックミラーやサイドミラーが自動車のボディに取り付けられている。そして自動車用のバックミラーやサイドミラーには、後方確認や側方確認する視野方向を調整するため、ミラー部分とミラー部分をボディに固定する固定部との間にミラーの角度調整を行うためのボールジョイントなど取り付けられている。
【０００４】
同じく道路上を走行する自転車用やモーターバイク用のバックミラーでは、ハンドルに取付器具を固定し、ミラー部分と取付器具とを鉄製パイプ等からなる一定形状のステーで接続するのが一般的である。また、自転車等で走行中に、誤ってミラー部分が歩行者に接触した場合でも、歩行者に怪我を負わせないようにしたりするため、ステー部分をフレキシブルにして自在性を備えたものが開示されている（特許文献１参照）。
【特許文献１】特開平８−２０７８５７号公報
【発明の開示】
【発明が解決しようとする課題】
【０００５】
上述したように、ベビーカーではこれまで後方確認のためにバックミラーを取り付けることはなかった。ところで、走行中に台車を押している大人は、座席に座っている乳幼児が現在何をしているのか、その状態や機嫌を、表情から知りたい場合がある。その場合に、声をかけて確認することもできるが、眠っている場合には起こしてしまうことになる。
【０００６】
そこで、自転車に使用しているバックミラーを、ベビーカーのフレームに取り付けて表情を確認することができるようにすることを考えついた。
しかしながら、自転車用のバックミラーは、自転車のハンドルに確実に固定して用いるものであるため、ハンドルのないベビーカーに使用することは予定されておらず、そのまま使うことは困難であった。
【０００７】
そこで、本発明は、大人が後方からベビーカーの座席に座っている乳幼児の表情を確認しつつ、台車を押すことが簡単に行えるベビーカー用のミラーを提供することを目的とする。また、本発明は、ベビーカーに取り付けた場合に、有用で使いやすいミラーを提供することを目的とする。
【課題を解決するための手段】
【０００８】
上記課題を解決するためになされた本発明のベビーカー用ミラーは、ミラー本体（１１）と、変形自在な軸部（１５）を有しミラー本体（１１）を位置調整可能に支持する支持部材（１２）と、支持部材（１２）をベビーカーのフレーム（１６）に取り付ける固定部（１３）とを備え、ミラー本体（１１）は乳幼児の関心をひく形状または絵柄が形成され、固定部（１３）は上下一対の板状部材（１９）（２０）がフレーム（１６）を挟んだ状態で付勢されることによりフレーム（１６）に着脱自在に固定されるクリップ機構（２１）からなるようにしている。
【発明の効果】
【０００９】
この発明によれば、ベビーカーを後方から押す大人は、ベビーカーのフレームの適当な位置に、着脱自在なクリップ機構によりベビーカー用ミラーを取り付けることによって、ミラー本体に映し出された乳幼児の表情を確認しつつ、台車を押すことが簡単に行える。また、ミラー本体には、乳幼児の関心をひく形状または絵柄が形成されているので、乳幼児が退屈しているときや機嫌が悪いときに、ミラーを取り付けることにより、おもちゃ代わりすることができる。
また、ミラー本体は、変形自在な軸部を有する支持部材に支持され、支持部材は固定部によりフレームに取り付けられるが、固定部にクリップ機構が用いてあるので、ベビーカーのフレームの太さが機種やメーカの違いにより多少異なっていても、上下一対の板状部材でフレームを挟むことにより固定できるので、取り付けが容易である。また、自転車と異なり、走行スピードが限られていて走行時の風圧もさほど大きくないことから、板状部材で挟みこんだときの付勢力で安定した支持ができる。また、ベビーカーは、使用しないときは折り畳んでおくことが多いが、固定部に着脱自在のクリップ機構を用いているので、折り畳むときにミラーを簡単に取り外すことができる。そのため、折り畳み時やベビーカーを使用していないときに、ミラー本体を安全な場所に保管しておくことができるので、衝突等による破損を減らすことができる。
【００１０】
また、上記発明において、ミラー本体（１１）と支持部材（１２）と固定部（１３）とは、それぞれが分離できるように接続部（１７）（１８）を介して連結されるようにしてもよい。
この発明によれば、ミラー本体と支持部材と固定部とを接続部で分離することができるので、フレームから取り外して保管するときに、収納場所のスペースを小さくすることができる。
【００１１】
また、上記発明において、固定部（１３）には、クリップ機構（２１）の上側の板状部材上面から上方に突出し上端部分に支持部材（１２）と接続するための接続部（１８）が形成された棒体部（２２）と、上下一対の板状部材（１９）（２０）それぞれに一体形成されクリップ機構の付勢力を解除する際に押圧する押圧部（２３）（２４）とが形成され、上下一対の板状部材（１９）（２０）でフレーム（１６）を挟んだ状態で押圧部（２３）（２４）は棒体部（２２）よりベビーカーの外側に位置するようにして取り付けられるようにしてもよい。
【００１２】
この発明によれば、上下一対の板状部材（１９）（２０）でフレーム（１６）を挟んだ状態になるようにするため、固定部（１３）をフレーム（１６）に取り付けたときに、押圧部（２３）（２４）は棒体部（２２）より前方側に位置するようにして取り付けられているので、乳幼児の位置からは押圧部（２３）（２４）が棒体部（２２）の裏側に来ることとなり、乳幼児が押圧部に触れにくくすることができる。
【発明を実施するための最良の形態】
【００１３】
以下、本発明の実施形態について図面を用いて説明する。なお、本発明は、以下に説明するような実施形態に限定されるものではなく、本発明の趣旨を逸脱しない範囲で種々の態様が含まれることはいうまでもない。
【００１４】
図１は、本発明の一実施形態であるベビーカー用ミラーの全体構成を示す正面図であり、図２はその斜視図である。また、図３はベビーカー用ミラーを分解したときのミラー本体を背面から見た部分図、図４は同じく支持部材を背面から見た部分図、図５は同じく固定部を背面から見た部分図である。
【００１５】
このベビーカー用ミラー１は、ミラー本体１１と、支持部材１２と、固定部１３との３つの部品から形成される。ミラー本体１１と支持部材１２との間は接続部１７（１７aと１７ｂ）により、また、支持部材１２と固定部１３との間は接続部１８（１８ａと１８ｂ）により、着脱自在に接続してある。
【００１６】
ミラー本体１１は、表側と裏側との一対のプラスチック成形部材１１ａ、１１ｂと鏡面仕上げした金属板１１ｃとからなり、金属板１１ｃは表裏のプラスチック成形部材１１ａ、１１ｂで挟むようにして固定してある。表側のプラスチック成形部材１１ａには、孔および凹凸が形成され、このうち孔の部分により口１１ｄの形状が形成され、凹凸部分により鼻１１ｅ、眼１１ｆの形が形成されるようにして、乳幼児が関心を引く蛙の顔の形状を描いてある。そして、口１１ｄの部分には、金属板１１ｃの鏡面部分が現れるようにしてあり、この部分がミラーとして機能するようにしてある。
【００１７】
また、裏側のプラスチック成形部材１１ｂには、筒状部１１ｇが形成され、筒状部の下端部分はミラー本体側の接続部１７ａとなる。接続部１７ａは、後述する支持部材１２の側の接続部１７ｂと嵌合により接続される。
【００１８】
なお、ミラー本体１１の形状を蛙の顔の形状としているのは一例に過ぎず、例えば人気キャラクターの形状等、あるいは、乗物、食物、人物、動物、建物、風景、日用品などの形状等であってもよい。これら異なる形状あるいは絵柄を有するミラー本体を複数種類用意しておき、ときどき交換するようにして乳幼児の関心を引くようにしてもよい。
【００１９】
支持部材１２は、変形自在な軸部１５と、軸部１５の両端に形成されミラー本体１１あるいは固定部１３と接続するための接続部１７ｂ、１８ｂとから構成される。
軸部１５はフレキシブル性を有する芯材とそれを覆う弾性体カバーとにより形成され、力を加えないときはミラー本体１１を一定状態に支持し、力を加えることによりある程度自由に曲げることができるようにしてある。接続部１７ｂは、ミラー本体１１の接続部１７ａから筒状部１１ｇ内に嵌め込まれるようにしてあり、接続部１７ｂに形成された弾性切片１７ｃが筒状部１１ｇに形成された孔１７ｄとが嵌り合うことにより、固定されるようにしてある。なお、本実施形態では、ミラー本体１１側の接続部１７ａに孔１７ｄを設け、支持部材側１２側の接続部１７ｂに弾性切片１７ｃを設けているが、孔１７ｄと弾性切片１７ｃとを逆にしてもよい。また、接続部１８ｂと、後述する固定部１３の固定部側の接続部１８ａとの接続についても同様である。
【００２０】
固定部１３は、クリップ機構２１と棒体部２２とからなる。クリップ機構２１は、上側板状部材１９、下側板状部材２０、上側板状部材１９と下側板状部材２０とを付勢するスプリング２５とからなる。上側板状部材１９と下側板状部材２０とは、中央付近の支点２６で連結してある。上側板状部材１９および下側板状部材２０には、支点２６を挟んで片側端にそれぞれ押圧部２３、２４が形成されており、ここを押圧することにより、支点２６を挟んで反対側の端が開き、曲面形状の把持部２７にて、フレーム１６を挟み込むことができるようにしてある。また把持部２７の内面は、摩擦による滑り止めのための凹凸形状が形成してある。
【００２１】
棒体部２２は、上側板状部材２３から突出するような形状で、上側板状部材２３に一体成形される。その上端は接続部１８ａとなり、支持部材１２側の接続部１８ｂと接続される。上述したように、接続部１８ｂと接続部１８ａとの接続については、接続部１７ａと接続部１７ｂとの接続と同様であり、嵌合接続される。
【００２２】
以上のような構成のベビーカー用ミラー１を使用する際は、ミラー本体１１、支持部材１２、固定部１３を接続部１７，１８にて接続することにより組み立てる。組み立てられたベビーカー用ミラー１は、図６に示すように、ベビーカー３０の座席より前方にあるフレーム１６の適宜の位置に取り付ける。このとき、把持部２７がベビーカーの外側からフレーム１６を挟むようにして取り付けるのが好ましい。これにより、固定部１３の押圧部２３、２４が棒体部２２よりも外側にくるようになり、座席に座る乳幼児からは触れにくくなるので、誤って乳幼児が押圧部２３、２４に触れることを減らすことができる。
【産業上の利用可能性】
【００２３】
本発明は、ベビーカーに取り付けて使用するベビーカー用ミラーに利用することができる。
【図面の簡単な説明】
【００２４】
【図１】本発明の一実施形態であるベビーカー用ミラーの全体構成を示す正面図。
【図２】図１のベビーカー用ミラーの斜視図。
【図３】図１のベビーカー用ミラーを分解してミラー本体を背面から見たときのの部分図。
【図４】図１のベビーカー用ミラーを分解して支持部材を背面から見たときのの部分図。
【図５】図１のベビーカー用ミラーを分解して固定部を背面から見たときのの部分図。
【図６】ベビーカー用ミラーをベビーカーに取り付けた状態を示す図。
【符号の説明】
【００２５】
１：  ベビーカー用ミラー
１１：  ミラー本体
１２：  支持部材
１３：  固定部
１５：  軸部
１６：  フレーム
１７、１８：接続部
１９：  上側板状部材
２０：  下側板状部材
２１：  クリップ機構
２２：  棒体部
２３、２４：  押圧部
２７：  把持部
３０：  ベビーカー
【図１】
2007253771.tif 000003
【図２】
2007253771.tif 000004
【図３】
2007253771.tif 000005
【図４】
2007253771.tif 000006
【図５】
2007253771.tif 000007
【図６】
2007253771.tif 000008